(57)【要約】【課題】着脱操作が容易であると共に、ローコストにして、衝撃による針先プロテクターの揺動を確実に阻止することができる針先プロテクターの揺動防止部材を提供すること。【解決手段】可撓性のシート状素材を用いて、ベース部材２と、ベース部材に対して同方向に一対の脚部３が一体に形成され、一対の脚部がベース部材に対して、それぞれ同一の角度をもって同方向に折り曲げられることで、針先プロテクターの揺動防止部材１が形成される。この揺動防止部材１は、一対の脚部３によって、カートリッジケース１２ａを両外側から挟むようにしてカートリッジ本体１２に取り付けられると共に、ベース部材２が再生針を覆った状態の針先プロテクター１３ｂの一部に当接して、針先プロテクターの揺動を防止するように作用する。【選択図】図３
2018037122.tif 000002
【特許請求の範囲】
【請求項１】
可撓性のシート状素材を用いて、ベース部材と、前記ベース部材に対して同方向に幅をもって一対の脚部が一体に形成され、前記一対の脚部が前記ベース部材に対して、それぞれ同一の角度をもって同方向に折り曲げられ、
前記一対の脚部によって、ピックアップカートリッジを両外側から挟むようにして前記ピックアップカートリッジに取り付けられると共に、前記ベース部材が再生針を覆った状態の針先プロテクターの一部に当接して、前記針先プロテクターの揺動を防止することを特徴とする針先プロテクターの揺動防止部材 。
【請求項２】
前記一対の脚部における少なくとも一方の脚部の先端部には、他の脚部に向かう係止部が形成され、前記係止部が前記ピックアップカートリッジの前記両外側に直交する面に係止することで、ピックアップカートリッジへの取り付け状態を維持することを特徴とする請求項１に記載の針先プロテクターの揺動防止部材。
【請求項３】
前記ベース部材における一対の脚部の間には、ベース部材の面に沿って突起体が形成され、前記突起体がカートリッジケースの一部に当接することで、前記一対の脚部と前記ベース部材との折り曲げ状態が維持されるように構成した請求項１または請求項２に記載の針先プロテクターの揺動防止部材。
【請求項４】
前記ベース部材の面に沿って形成された前記突起体の長手方向の両辺に続いて、前記ベース部材にそれぞれスリットが切り込まれて形成されていることを特徴とする請求項３に記載の針先プロテクターの揺動防止部材。
【請求項５】
請求項１に記載の針先プロテクターの揺動防止部材を前記ピックアップカートリッジに取り付けたことを特徴とするピックアップカートリッジ。
【発明の詳細な説明】
【技術分野】
【０００１】
この発明は、レコード盤の音溝をトレースする再生針を保護する針先プロテクターを備えたピックアップカートリッジに取り付けられて用いられ、例えば搬送時などに受ける衝撃により前記針先プロテクターが揺動するのを阻止する針先プロテクターの揺動防止部材に関する。また、この針先プロテクターの揺動防止部材をピックアップカートリッジに取り付けたピックアップカートリッジに関する。
【背景技術】
【０００２】
レコード盤の音溝をトレースする再生針を備えたピックアップカートリッジには、その未使用時（保管時）や搬送時などにおいて、前記再生針が損傷するのを避けるために、再生針を保護するカバー部材（針先プロテクター）を具備したものが提案されている。
このような針先プロテクターを具備したピックアップカートリッジは、例えば特許文献１および２などに開示されている。
【０００３】
図４は、特許文献１および２に開示され針先プロテクターを備えたピックアップカートリッジと同様の構成を備えたピックアップカートリッジの外観構成を示している。
このピックアップカートリッジ１１は、一例としてムービングマグネット（ＭＭ）型カートリッジを示している。すなわち、このＭＭ型カートリッジ１１は、コイルやヨークなどの磁気回路を内蔵したカートリッジ本体１２に対して、再生針交換ユニット１３が着脱可能に装着されている。この再生針交換ユニット１３には、先端部に再生針が取り付けられ、基端部にマグネット等を備えたカンチレバーが、ダンパー等を介して取り付けられている。
【０００４】
そして図４に示す例においては、再生針交換ユニット１３のユニットケースを兼ねるノブ部材１３ａの前端部側には、針先プロテクター１３ｂが配置されている。この針先プロテクター１３ｂは、コ字状に成形されてその両脚部がノブ部材１３ａに回動可能に取り付けられており、これにより針先プロテクター１３ｂは、白抜きの両方向矢印で示す範囲で回動可能になされている。
【０００５】
したがって針先プロテクター１３ｂを、図４に示す状態のように起立させることで、前記した再生針とこれを支持するカンチレバーを覆うことができ、この針先プロテクター１３ｂによって、再生針およびカンチレバーを含む振動系を保護することができる。
また、針先プロテクター１３ｂをノブ部材１３ａの前方に向かって倒すことで、再生針とカンチレバーは露出され、この状態でピックアップカートリッジとして利用することができる。すなわち、針先プロテクター１３ｂは、図４に示す両方向矢印のいずれかの状態に位置設定がされるように、ノブ部材１３ａとの間でクリック機能が付与されている。
【先行技術文献】
【特許文献】
【０００６】
【特許文献１】実公昭４９−２７２０６号公報
【特許文献２】実公昭５９−３４００号公報
【発明の概要】
【発明が解決しようとする課題】
【０００７】
ところで、図４に示したピックアップカートリッジにおいては、商品の出荷時においては、保護ケースに収容されて再生針やカンチレバーなどの振動系を含むカートリッジ全体が保護されるように配慮されている。
しかしながら、搬送中などにおいて落下などの強い衝撃を受けた場合には、針先プロテクターが回動して、再生針とカンチレバーが露出された状態で、商品がユーザに届く状態が発生し得る。
【０００８】
この種のピックアップカートリッジは、ユーザにとって好みや趣味性が非常に高い商品であり、しかも繊細な精密部品であることから、保護ケースの開封時に針先プロテクターが開放され、再生針とカンチレバーが露出した状態で手元に届くことは、印象が悪くメーカへの不信感を抱かせるなど、ユーザに対して不快な感覚を与える結果となる。
これは、たとえピックアップカートリッジに損傷はなくても、商品としての価値や心証を損ねるなどの問題に発展し得る。
【０００９】
そこで、商品の出荷時において、例えば接着テープを利用して針先プロテクターを固定することが考えられが、接着テープによるプロテクターの固定は、必ずしも体裁が良いとは言えない。また接着テープの剥離に際して、誤って針先プロテクターも取り外されるなどの問題も発生し得る。しかも、接着テープを剥離した跡に接着糊が残り、カートリッジの外観を損なうなどの問題も発生し得る。
【００１０】
したがって、この発明が解決しようとする課題は、針先プロテクターを備えたピックアップカートリッジに対する装着操作および取り外し操作が容易であると共に、ローコストにして、搬送時などに受ける衝撃による針先プロテクターの揺動を確実に阻止することができる針先プロテクターの揺動防止部材およびピックアップカートリッジを提供することにある。
【課題を解決するための手段】
【００１１】
前記した課題を解決するためになされたこの発明に係る針先プロテクターの揺動防止部材は、可撓性のシート状素材を用いて、ベース部材と、前記ベース部材に対して同方向に幅をもって一対の脚部が一体に形成され、前記一対の脚部が前記ベース部材に対して、それぞれ同一の角度をもって同方向に折り曲げられ、前記一対の脚部によって、ピックアップカートリッジを両外側から挟むようにして前記ピックアップカートリッジに取り付けられると共に、前記ベース部材が再生針を覆った状態の針先プロテクターの一部に当接して、前記針先プロテクターの揺動を防止することを特徴とする。
【００１２】
この場合、好ましい一つの形態においては、前記一対の脚部における少なくとも一方の脚部の先端部には、他の脚部に向かう係止部が形成され、前記係止部が前記ピックアップカートリッジの前記両外側に直交する面に係止することで、ピックアップカートリッジへの取り付け状態が維持できるように構成される。
【００１３】
また、前記ベース部材における一対の脚部の間には、ベース部材の面に沿って突起体が形成されていることが望ましく、前記突起体がカートリッジ本体の一部に当接することで、一対の脚部と前記ベース部材との折り曲げ状態が維持されるように構成される。
【００１４】
そして、ベース部材の面に沿って形成された前記突起体の長手方向の両辺に続いて、前記ベース部材にはそれぞれスリットが切り込まれて形成されていることが望ましい。
【００１５】
さらに、この発明に係るピックアップカートリッジは、前記した構成の針先プロテクターの揺動防止部材をピックアップカートリッジに取り付けたことを特徴とする。
【発明の効果】
【００１６】
前記した構成の針先プロテクターの揺動防止部材によると、ベース部材に対して一体に形成された一対の脚部を利用して、揺動防止部材はピックアップカートリッジに取り付けられる。そして、一対の脚部に対して所定の角度をもって折り曲げられた前記ベース部材が、再生針を覆った状態の針先プロテクターの一部に当接して、前記針先プロテクターの揺動を防止するように作用する。
【００１７】
すなわち、この揺動防止部材によると、一対の脚部を利用してカートリッジケースを、その両外側から挟むようにしてカートリッジ本体に取り付けることができるので、ピックアップカートリッジに対する着脱操作を容易にすることができる。
しかも、この揺動防止部材は、可撓性のシート状素材、例えばポリエチレンテレフタレート（ＰＥＴ）などの透明な樹脂素材により成形することができる。これによると、ローコストにして体裁にも優れ、かつ素材のばね効果を生かして、衝撃による針先プロテクターの揺動を確実に阻止することが可能な針先プロテクターの揺動防止部材を提供することができる。
【図面の簡単な説明】
【００１８】
【図１】この発明に係る針先プロテクターの揺動防止部材を示す平面図である。
【図２】図１に示す揺動防止部材をピックアップカートリッジに取り付ける様子を示した斜視図である。
【図３】同じく取り付けた状態を示す斜視図である。
【図４】ピックアップカートリッジの外観構成を示した斜視図である。
【発明を実施するための形態】
【００１９】
この発明に係る針先プロテクターの揺動防止部材（以下、単に揺動防止部材とも言う。）は、図１に単体構成で示したとおり、可撓性のシート状素材、好ましくはＰＥＴなどの透明な樹脂素材を材料として、抜型を用いた打抜き加工によって得ることができる。
【００２０】
図１に示す揺動防止部材１は、隅角部が円弧状に縁取りされた四辺形状に成形されたベース部材２に対して、同方向に互いに平行となるように一対の脚部３が一体に成形されている。そして、それぞれ直線状に成形された一対の脚部３の各先端部には、半円形状に突出した係止部４がそれぞれ内側に向かって対向するように形成されている。
【００２１】
また、ベース部材２における前記一対の脚部３間には、ベース部材２の面に沿って突起体５が形成されており、前記突起体５の長手方向の両辺に続くようにして、前記ベース部材２には、それぞれスリット６が切り込まれて形成されている。
さらに前記ベース部材２と、一対の脚部３との間には、破線で示した折り曲げ部（ほぼ９０度の谷折り）７が直線状に形成されており、この折り曲げ部７によって、前記一対の脚部３は前記ベース部材２に対して、それぞれ同一の角度をもって同方向に折り曲げられている。この折り曲げられた様子は、図２および図３に示されている。
【００２２】
図２および図３に示すピックアップカートリッジ１１は、図４に基づいて説明したピックアップカートリッジの構成と同様であり、カートリッジ本体１２と、これに着脱可能に取り付けられる再生針交換ユニット１３より構成されている。
カートリッジ本体１２は、コイルやヨークなどの磁気回路を内蔵した概ね直方体形状になされたカートリッジケース１２ａが、台座１２ｂ上に搭載された状態で構成されている。そして、前記台座１２ｂはカートリッジケース１２ａに比較して、その幅および長さ方向の寸法が若干大きく構成されており、台座１２ｂの長さ方向の両辺には、ピックアップカートリッジ１１を図示せぬヘッドシェルに締結するためのねじ挿通用の溝孔１２ｃがそれぞれ施されている。
【００２３】
また、カートリッジケース１２ａにおける再生針交換ユニット１３の装着面には、この装着面の長手方向に沿って、開口１２ｄが形成されている。この開口１２ｄには再生針交換ユニット１３が装着された場合に、カンチレバーやマグネットおよびダンパーの一部などが収容される。
なお、カートリッジケース１２ａの尾端部側の面１２ｅには、カートリッジの出力端子としての端子ピン１２ｆが取り付けられている。
【００２４】
一方、再生針交換ユニット１３は先に説明したとおり、図には示されていないが、先端部に再生針が取り付けられ、基端部にマグネット等を備えたカンチレバーが、ダンパーを介してユニットケースを兼ねるノブ部材１３ａ側に揺動可能に配置されている。
また、ノブ部材１３ａの前端部側には、コ字状に成形された針先プロテクター１３ｂの両脚部が、前記ノブ部材１３ａに対して回動可能に取り付けられている。そして、図２に示すようにカートリッジ本体１２に対して、再生針交換ユニット１３が矢印Ａ方向に装着されてピックアップカートリッジ１１が構成される。
【００２５】
このピックアップカートリッジ１１には、カートリッジ本体１２の台座１２ｂと、再生針交換ユニット１３のノブ部材１３ａとの間に形成される隙間に沿って、針先プロテクターの揺動防止部材１が取り付けられる。
なお、揺動防止部材１の両脚部３におけるベース部材２と係止部４との間の長さ寸法Ｌは、カートリッジ本体１２の前記台座１２ｂに沿ったカートリッジケース１２ａの長さ寸法よりも僅かに大きく設定されている。また揺動防止部材１の両脚部３間の幅寸法Ｗは、前記台座１２ｂに沿ったカートリッジケース１２ａの幅寸法よりも僅かに大きく設定されている。
【００２６】
そして、前記揺動防止部材１は、０．３ｍｍ程度の厚さを有するＰＥＴにより成形されているので、揺動防止部材１は適度に弾性をもって変形する。したがってピックアップカートリッジ１１に対して、揺動防止部材１を図２に示す矢印Ｂ方向に沿って装着することにより、それ程大きな抵抗を受けずに揺動防止部材１を容易に装着することができる。
【００２７】
この場合、前記揺動防止部材１の一対の脚部３が、カートリッジケース１２ａをその両外側から挟むようにして装着される。そして、各脚部３の先端部にそれぞれ内側に向かって形成された各係止部４が、カートリッジケース１２ａの前記両外側に直交する面、すなわちカートリッジケースの尾端部側の面１２ｅに係止される。これにより、揺動防止部材１はカートリッジ１１への取り付け状態を維持することができる。
なお、図に示す揺動防止部材１においては、各脚部３の先端部に互いに内側に向かって係止部４が形成されているが、この係止部４は一方の脚部のみに、他の脚部に向かうようにして形成されていても、同様の作用効果を得ることができる。
【００２８】
斯くして、図３に示すようにピックアップカートリッジ１１に取り付けられた揺動防止部材１は、ベース部材２の面に沿って形成された突起体５が、カートリッジ本体１２の台座１２ｂの一部に当接する。これにより、ベース部材２には前記した折り曲げ部７を介して、白抜きの矢印の方向への付勢力（折り曲げ作用）が与えられ、ベース部材２は起立状態の針先プロテクター１３ｂに当接した状態になされる。
【００２９】
そして、前記ベース部材２に形成された突起体５は、突起体５に沿ってベース部材２に切り込まれたスリット６の存在によって適度に湾曲され、突起体５にはこの湾曲に応じたばね作用が付与される。
したがってベース部材２は、突起体５に付与されるばねの反作用を受けて、針先プロテクター１３ｂに対して柔軟に当接し、針先プロテクター１３ｂの揺動を阻止することになる。したがって、ピックアップカートリッジ１１は、多少の衝撃を受けても図３に示す状態を維持することになる。
【００３０】
以上の説明で明らかなように、この発明に係る針先プロテクターの揺動防止部材によると、ピックアップカートリッジに対する着脱操作を容易にすることができる。しかも、ＰＥＴなどの透明な樹脂素材を利用することで、ローコストにして体裁にも優れ、かつ素材のばね効果を利用して、衝撃を受けた場合の針先プロテクターの揺動を確実に阻止することができるなど、前記した発明の効果の欄に記載したとおりの作用効果を得ることができる。なお、実施形態では再生針が交換可能なピックアップカートリッジについて説明したが、交換不可のカートリッジに適用してもよい。また、ＭＭ型カートリッジの他にムービングコイル（ＭＣ）型カートリッジにも適用することができる。
【符号の説明】
【００３１】
１      針先プロテクターの揺動防止部材
２      ベース部材
３      脚部
４      係止部
５      突起体
６      スリット
７      折り曲げ部
１１    ピックアップカートリッジ
１２    カートリッジ本体
１２ａ  カートリッジケース
１２ｂ  台座
１２ｃ  ねじ挿通用の溝
１２ｄ  開口
１２ｅ  尾端部側の面
１２ｆ  端子ピン
１３    再生針交換ユニット
１３ａ  ノブ部材（ユニットケース）
１３ｂ  針先プロテクター
【図１】
2018037122.tif 000003
【図２】
2018037122.tif 000004
【図３】
2018037122.tif 000005
【図４】
2018037122.tif 000006